(57)【要約】【課題】地下二重壁において、屋内への水の浸入防止処理を従来の堰を設けることなく確実に行う。【解決手段】床スラブ１２上に外壁１１に沿ってレール３０を設置し、壁パネル２０の下端部をレール３０のパネル嵌合溝３０１に嵌合し、上端部を上階スラブ１３に固定した二重壁２の構造であって、レール３０は、床スラブ１２に固定される底板部３１と、底板部３１の内側の端部から立ち上がる前板部３３と、底板部３１の外側の端部から立ち上がり前板部３３よりも高い堰を構成する背板部３２とを備える。さらにレール３０と排水溝１５との間に第１の止水シール４１を設け、第１の止水シール４１の内側の底板部３１と床スラブ１２との間に第２の止水シール４２を設けた止水構造を有する。【選択図】図１
2019035206.tif 000002
【特許請求の範囲】
【請求項１】
地下外壁の内側の床スラブに該外壁と所定間隔を空けて壁パネルを立設する地下二重壁構造であって、
前記床スラブにおける前記壁パネルの立設位置に、前記外壁との間に排水溝を形成するレールが設置され、
前記レールに前記壁パネルの下端部が設置されるとともに該壁パネルの上端部が上階スラブに固定され、
前記レールは、
前記床スラブに固定される底板部と、該底板部の内側の端部から立ち上がる前板部と、前記底板部の外側の端部から立ち上がり前記前板部よりも高い堰を構成する背板部と、を備え、その内部が前記壁パネルの下端部が嵌合されるパネル嵌合溝とされた断面略Ｌ字状に形成されており、
前記レールと前記排水溝との間に第１の止水シールが設けられ、
前記第１の止水シールの内側の前記底板部と前記床スラブとの間に第２の止水シールが設けられている
ことを特徴とする地下二重壁構造。
【請求項２】
前記レールの前記背板部と前記壁パネルの背面との間に第３の止水シールが設けられ、
前記レールの前記前板部と前記壁パネルの前面との間に第４の止水シールが設けられていることを特徴とする請求項１に記載の地下二重壁構造。
【請求項３】
前記第２の止水シールの内側の前記底板部と前記床スラブとの間に第５の止水シールが設けられていることを特徴とする請求項１または２に記載の地下二重壁構造。
【請求項４】
前記レールの前記底板部に、前記第２の止水シールが嵌合される溝部が形成されていることを特徴とする請求項１〜３のいずれかに記載の地下二重壁構造。
【請求項５】
前記壁パネルの前記芯材および前記レールが断熱性および／または不燃性を有する材料で構成されていることを特徴とする請求項１〜４のいずれかに記載の地下二重壁構造。
【発明の詳細な説明】
【技術分野】
【０００１】
本発明は、建物の地下階における外壁の内側に構築する地下二重壁の構造に関する。
【背景技術】
【０００２】
建物の地下階においては、土と接触する外壁の内側に二重壁を設けて屋内への地下水の浸入や屋内壁面の結露を防いでいる。地下二重壁は、従来、透湿性を有するコンクリートブロックを積み上げた湿式壁が一般的であった。しかし、多数のコンクリートブロックや鉄筋等の材料を狭い地下階へ搬入し、目地に対しモルタルを詰めながら精度よくブロックを積み上げていく作業は手間がかかるとともに工期が長くなり、また、積み上げ高さに制約があるため、施工性の面で問題があった。そこで、予め加工された乾式材料からなる壁パネルを用いることで、コンクリートブロックによる上記欠点を解決する地下二重壁が提案された（特許文献１）。
【先行技術文献】
【特許文献】
【０００３】
【特許文献１】特開平５−２８００６４号公報
【発明の概要】
【発明が解決しようとする課題】
【０００４】
上記文献では、外壁の内側に外壁に沿って堰（堰体５）を床スラブと一体的に設けて外壁と堰との間に排水溝を設け、その堰の上にパネルを立てている。このように堰を設ける地下二重壁の構造は、コンクリートブロックの場合も同様である。排水溝は、外壁を通過した地下水や外壁に結露した水分を二重壁の内側の屋内に浸入させず排水可能とするために設けられる。しかし、床スラブと一体に堰を構築するには手間がかかるため施工性に問題があり、また、材料費が余計にかかりコストの上昇を招くという不利な点があった。
【０００５】
本発明は上記事情に鑑みてなされたものであって、その主たる目的は、屋内への水の浸入防止処理を、従来の堰を設けることなく確実に行うことができるとともに施工性やコストの面で有利な地下二重壁構造を提供することにある。
【課題を解決するための手段】
【０００６】
本発明の地下二重壁構造は、地下外壁の内側の床スラブに該外壁と所定間隔を空けて壁パネルを立設する地下二重壁構造であって、前記床スラブにおける前記壁パネルの立設位置に、前記外壁との間に排水溝を形成するレールが設置され、前記レールに前記壁パネルの下端部が設置されるとともに該壁パネルの上端部が上階スラブに固定され、前記レールは、前記床スラブに固定される底板部と、該底板部の内側の端部から立ち上がる前板部と、前記底板部の外側の端部から立ち上がり前記前板部よりも高い堰を構成する背板部と、を備え、その内部が前記壁パネルの下端部が嵌合されるパネル嵌合溝とされた断面略Ｌ字状に形成されており、前記レールと前記排水溝との間に第１の止水シールが設けられ、前記第１の止水シールの内側の前記底板部と前記床スラブとの間に第２の止水シールが設けられていることを特徴とする。なお、レールの構成における「内側」、「外側」は、当該レールの外壁側を外側とし、外壁と反対側である屋内側を内側としている。
【０００７】
本発明によれば、レールを床スラブに設置することにより、レールの背板部が堰となってレールと外壁との間に排水溝が形成される。このため、従来のように床スラブと一体のコンクリート製の堰を設ける必要がなく床スラブを平坦に形成することができる。床スラブに設置したレールのパネル嵌合溝に壁パネルの下端部を嵌合し、上端部を上階スラブに固定することにより、簡便に二重壁を構築することができる。これらのことから施工性の向上が図られる。また、第１および第２の止水シールにより、排水溝の水がレールと床スラブとの間を通って二重壁の内側（屋内側）へ浸入することが効果的に防止される。
【０００８】
本発明は、前記レールの前記背板部と前記壁パネルの背面との間に第３の止水シールが設けられ、前記レールの前記前板部と前記壁パネルの前面との間に第４の止水シールが設けられている形態を含む。この形態によれば、レール内への水の浸入が第３および第４の止水シールで防止され、その結果、レールの内部あるいは壁パネルの錆び、腐食、汚染等が抑えられる。
【０００９】
本発明は、前記第２の止水シールの内側の前記底板部と前記床スラブとの間に第５の止水シールが設けられている形態を含む。この形態によれば、排水溝から屋内側への水の浸入防止効果が一層向上する。
【００１０】
本発明は、前記レールの前記底板部に、前記第２の止水シールが嵌合される溝部が形成されている形態を含む。この形態によれば、レールの底板部に第２の止水シールを位置決めすることができ、施工性が良好となる。
【００１１】
本発明は、前記壁パネルの前記芯材および前記レールが断熱性および／または不燃性を有する材料で構成されている形態を含む。この形態によれば、断熱性、不燃性もしくは双方の特性を有する二重壁が構築される。
【発明の効果】
【００１２】
本発明によれば、屋内への水の浸入防止処理を、従来の堰を設けることなく確実に行うことができるとともに施工性やコストの面で有利な地下二重壁構造が提供されるといった効果を奏する。
【図面の簡単な説明】
【００１３】
【図１】本発明の一実施形態に係る二重壁の構造を示す断面図である。
【図２】図１のII矢視図である。
【図３】一実施形態の二重壁構造を示す斜視図である。
【図４】壁パネルの接合構造を示す断面図である。
【図５】レールおよび第１、第４の止水シールの別形態を示す断面図である。
【図６】レールの内側に補強材を設けた形態を示す断面図である。
【発明を実施するための形態】
【００１４】
以下、図面を参照して本発明の一実施形態を説明する。
図１〜図３は、土中に構築された躯体１０および躯体１０の内側の二重壁２によって地下空間（以下、屋内）１が形成された地下階を示している。躯体１０は、外壁１１、床スラブ１２、上階スラブ１３、柱１４を有している。図２に示すように、二重壁２は、複数の壁パネル２０が柱１４の間に立設され、隣接する壁パネル２０どうしが接合されて構成されている。二重壁２は、外壁１１との間に所定間隔（１５０〜２００ｍｍ程度）を空けて構築されている。壁パネル２０は、床スラブ１２に直接設置された壁パネル設置用のレール３０を介して平坦な床スラブ１２上に立設されている。
【００１５】
［１］壁パネルの構成
図４に示すように、壁パネル２０は、２枚の金属製の面材２１の間に芯材２２が挟まれた金属サンドイッチパネルで構成されている。面材２１は金属製の薄板であり、例えば、カラー鋼板、フッ素鋼板、塩ビ鋼板、ガルバリウム鋼板（登録商標）、ＳＵＳ３０４等のステンレス鋼板等が用いられる。面材２１の厚さは、例えば０．２７〜１．２ｍｍ程度のものが用いられる。面材２１の少なくとも外面は、塗装により防カビおよび抗菌処理がなされていると好ましい。
【００１６】
芯材２２は、軽量の樹脂発泡体が一定厚さのパネル状に成形されたものが用いられるが、その中でも、断熱性を有するもの、または断熱性とともに不燃性を有するものが好適である。断熱性を有する材料としては、ポリスチレン樹脂等の樹脂の発泡体が用いられ、好ましくは、水分を吸収しにくいことにより高い断熱性を有するものがよい。また、断熱性とともに不燃性を有する材料としては、炭酸カルシウムやフェノール樹脂等の発泡体、硬質ポリイソシアヌレートフォーム等のポリウレタンフォーム等が好適である。
【００１７】
この種の芯材２２は、ウレタン系接着剤、エポキシ系接着剤等の適宜な接着剤によって面材２１の内面に接着される。壁パネル２０の全体寸法としては、例えば、幅：９００ｍｍ程度、高さ：１８００〜５０００ｍｍ程度とされ、厚さは４０〜５０ｍｍ程度とされる。壁パネル２０は、１枚で床スラブ１２から上階スラブ１３にわたる高さを有するものが用いられる。
【００１８】
壁パネル２０どうしの接合は、接合端面の芯材２２に長手方向に沿って形成された溝状凹部２２１と凸条２２２の凹凸嵌合によってなされる。なお、柱１４に隣接する両端の壁パネル２０は、柱１４側の端面が平坦面に加工されたものが用いられる。
【００１９】
［２］レールの構成
図１に示すように、レール３０は、床スラブ１２に固定される平板状の底板部３１を有し、底板部３１の幅方向一端側（図１で左側）の端部から背板部３２が直角に立ち上がり、他端側の端部から前板部３３が直角に立ち上がった断面略Ｌ字状の桿状部材である。レール３０は、背板部３２を外壁１１側に配し、前板部３３を屋内１側に配して底板部３１が床スラブ１２に設置される。レール３０は外壁１１に沿って設置され、内部に上方に開口するパネル嵌合溝３０１が形成される。
【００２０】
レール３０の設置により、レール３０と外壁１１との間に排水溝１５が形成される。背板部３２は排水溝１５を形成するための堰を構成し、その高さは前板部３３よりも高く、堰を構成するに十分な高さ（１００〜１２０ｍｍ程度）を有している。一方、前板部３３の高さはパネル嵌合溝３０１内に壁パネル２０を差し入れることが可能な程度とされ、例えば４０ｍｍ程度に設定される。パネル嵌合溝３０１の幅は、壁パネル２０の厚さに対応したサイズ、すなわち壁パネル２０の厚さより僅かに大きい幅に設定されている。
【００２１】
レール３０は、断熱性や不燃性を有する硬質樹脂からなるものが好適に用いられ、硬質樹脂でレール３０を得る場合には、押し出し成形によって得ることができる。なお、断熱性を有するレール３０を得る場合には硬質塩化ビニルが好適であり、断熱性および不燃性を有するレール３０を得る場合にはフェノール樹脂が好適である。レール３０の材質は樹脂に限定されず、例えば金属製のものも用いられる。金属製では、例えば鋼板を折り曲げ加工したものや、アルミニウムを押し出し成形して得たもの等が用いられる。
【００２２】
レール３０の底板部３１と背板部３２とによって形成される外側の角部には、第１の止水シール４１がレール３０の全長にわたって設けられている。第１の止水シール４１は、軟質塩化ビニル等の樹脂やゴム等の弾性材料によって帯状に形成されたもので、断面形状が、先端に向かうにしたがい細くなる舌片状となっており、厚い方の幅方向一端部が角部に固着されている。第１の止水シール４１はレール３０への固着部分から、外側に向かうにしたがい下方に延びるように傾斜している。
【００２３】
レール３０の底板部３１の下面と床スラブ１２との間には、第２の止水シール４２が設けられている。第２の止水シール４２は、例えＩＩＲ(イソプチレン・イソプレンゴムまたはブチルゴム)、ＥＰＭ・ＥＰＤＭ(エチレンプロピレンゴム)等の合成ゴムや天然ゴム等の弾性を有するゴムを帯状に形成したものが好適に用いられる。第２の止水シール４２は、二重壁２全体の全幅に相当する長さを有し、床スラブ１２上に設置され、その上にレール３０が設置される。レール３０が設置されると第２の止水シール４２は潰れて弾性変形する。
【００２４】
レール３０の背板部３２および前板部３３の上端部には、それぞれ第３の止水シール４３および第４の止水シール４４がレール３０の全長にわたって設けられている。第３の止水シール４３はレール３０の上端部と壁パネル２０の背面との間の隙間を塞ぎ、第４の止水シール４４はレール３０の上端部と壁パネル２０の前面との間の隙間を塞ぐものである。これら止水シール４３、４４は、上記第１の止水シール４１と同様のもので、軟質塩化ビニル等の樹脂やゴム等の弾性材料によって帯状に形成され、断面形状が、先端に向かうにしたがい細くなる舌片状となっている。第３および第４の止水シール４３、４４は、上記の各隙間を塞ぐことができるように内側に傾倒した状態で、厚さが厚い方の幅方向一端部がレール３０に固着されている。
【００２５】
上記第１、第３および第４の止水シール４１、４３、４４は、レール３０に対し接着剤で接着するなどして固着させることができる。また、この他には、上記のようにレール３０を硬質塩化ビニル等の硬質樹脂、第１、第３および第４の止水シール４１、４３、４４を軟質塩化ビニル等の軟質樹脂を材料とする場合、レール３０とともに第１、第３および第４の止水シール４１、４３、４４を押し出し成形により一体成形して得ることができる。これにより各止水シール４１、４３、４４はレール３０に対し一体的に成形され、製造が容易である。
【００２６】
［３］二重壁の施工
上記レール３０および複数の壁パネル２０を用いて二重壁２を施工するには、まず、レール３０を、外壁１１と所定間隔を隔てた平坦な床スラブ１２上の施工位置に設置する。レール３０は、背板部３２を外壁１１側に配し、かつ、外壁１１に沿って延びる状態に置かれる。そして、底板部３１と第２の止水シール４２に通したアンカーねじ６１を床スラブ１２にねじ込んで底板部３１を床スラブ１２に締結することにより床スラブ１２上に設置される。レール３０の設置により、レール３０と外壁１１との間に排水溝１５が形成される。一方、上階スラブ１３に、断面Ｌ字状の上部固定アングル５０をアンカーねじ６２によって固定する。
【００２７】
次に、壁パネル２０の下端部をレール３０のパネル嵌合溝３０１に嵌合し、上端部の背面を上部固定アングル５０に当接させる。そして壁パネル２０の上端部の表面側から取り付けねじ６３を壁パネル２０に通して上部固定アングル５０にねじ込み、壁パネル２０の上端部を上部固定アングル５０に締結する。
【００２８】
続いて、上記のように固定した壁パネル２０の横に同様に壁パネル２０を立て込み、図４に示したように接合端部を接合させ、上部固定アングル５０に上端部を取り付けねじ６３で固定する作業を繰り返し行い、所定枚数の壁パネル２０を柱１４間に立て込む。この後、屋内１側のレール３０の底板部３１と床スラブ１２との間の目地、および柱１４と壁パネル２０との間の目地を、シーリング（第５の止水シール）４５で埋める。なお、壁パネル２０の上端面と上階スラブ１３との間に隙間が生じた場合には、その隙間を適宜な隙間埋め材で埋めるなどして、その隙間を塞ぐ。以上で二重壁２が構築される。なお、排水溝１５の点検ならびに換気を行うために、隣接する２本の柱１４の間の複数の壁パネル２０に対し点検口（不図示）を一対の状態で設けると好ましい。
【００２９】
［４］二重壁の構造とその効果
本実施形態の二重壁２は、壁パネル２０を立て込むレール３０が床スラブ１２に設置された状態で、レール３０の背板部３２が堰となってレール３０と外壁１１との間に排水溝１５が形成される。排水溝１５には外壁１１を通った地下水が流れ、その水は所定の排水構造によって回収される。排水溝１５の水は、レール３０と、第１、第２の止水シール４１、４２およびシーリング４５によって屋内１への侵入が防止される。
【００３０】
すなわち、レール３０が床スラブ１２に設置された状態で、第１の止水シール４１は先端部が排水溝１５の底部に接触して反るように弾性変形し、先端部の下面が排水溝１５の底部に面接触する。この第１の止水シール４１により、レール３０と排水溝１５との間の隙間が塞がれシールされる。また、第２の止水シール４２はレール３０で押圧されて潰れ弾性変形し、下面全面が床スラブ１２に密着する。この第２の止水シール４２により底板部３１と床スラブ１２との間の隙間が塞がれシールされる。さらに、シーリング４５によりレール３０と屋内１側の床スラブ１２との間の隙間が塞がれシールされる。このようにレール３０と床スラブ１２との間は、外側から内側に向かい第１、第２の止水シール４１、４２、シーリング４５の三重の止水構造によってシールされる。その結果、排水溝１５の水がレール３０と床スラブ１２との間を通って屋内１に浸入することが効果的に防止される。
【００３１】
また、上記のようにレール３０の背板部３２が堰となってレール３０と外壁１１との間に排水溝１５が形成されるため、従来のように床スラブ１２と一体のコンクリート製の堰を設ける必要がなく床スラブ１２を平坦に形成することができる。また、床スラブ１２に設置したレール３０のパネル嵌合溝３０１に壁パネル２０の下端部を嵌合し、上端部を上階スラブ１３に上部固定アングル５０を介して固定することにより、簡便に二重壁２を構築することができ、施工性の向上が図られる。
【００３２】
また、レール３０に壁パネル２０を立て込むことにより、第３の止水シール４３および第４の止水シール４４は、先端部がそれぞれ壁パネル２０の背面および前面にそれぞれ接触して反るように弾性変形し、壁パネル２０に面接触する。これによりレール３０の上端部と壁パネル２０との間の隙間が塞がれシールされる。各止水シール４３、４４によってレール３０内への水の浸入が防止され、その結果、レール３０の内部あるいは壁パネル２０の錆び、腐食、汚染等が抑えられる。
【００３３】
また、外壁１１の表面は地下水の漏水や結露等の水分の影響でコンクリートの白華現象（エフロレッセンス）が起こりやすいが、外壁１１の表面は二重壁２によって屋内１側から見えないため、外壁１１に起こる白華や水のシミ等が見えず、美観性が保たれる。また、壁パネル２０を仕上げ材として屋内１の内壁を構成することができる。
【００３４】
また、外壁１１の表面にカビ等が発生しても、二重壁２によって直接的にカビの影響を受けることが抑えられる。また、壁パネル２０の芯材２２およびレール３０に、断熱性を有する材料を用いた場合には壁パネル２０に結露が生じにくいという利点が得られ、不燃性を有する材料を用いた場合には不燃性の向上が図られる。さらに壁パネル２０は面材２１が金属製であり耐久性が高いため、二重壁２も高い耐久性が得られる。
【００３５】
［５］他の実施形態
図５に示すように、レール３０の底板部３１の下面に一対の凸条３１１によってレール３０の長手方向に延びる溝部３１２を形成し、この溝部３１２内に第２の止水シール４２を嵌合させるようにしてもよい。溝部３１２に第２の止水シール４２を嵌合させることに
より、レール３０の底板部３１に第２の止水シール４２を位置決めすることができ、施工性が良好となる。
【００３６】
また、図５の第１の止水シール４１は、図１に示した第１の止水シール４１と異なる形態であって、断面半円弧状の弾性体で構成されている。この場合の第１の止水シール４１はレール３０が床スラブ１２に設置されると弾性変形して潰れ、床スラブ１２に密着する。このような形態の止水シールは、第３および第４の止水シール４３、４４にも適用することができる。また、図５には、第４の止水シール４４の他の形態である第４の止水シール４４Ｂを示している。この第４の止水シール４４Ｂはレール３０とは別体であって、壁パネル２０をレール３０に立て込んだ後に、両者の間の隙間に押し込んで装着される。第４の止水シール４４Ｂは図示のように断面形状が全体が概ね三角形状で、自身の長手方向に沿って延び壁パネル２０の表面に押圧状態で密着する上下複数段の凸条を有し、レール３０に弾性的に係合して固定状態が得られる。図５に示す第１の止水シール４１および第４の止水シール４４Ｂは、軟質塩化ビニル等の樹脂や、ＩＩＲ(イソプチレン・イソプレンゴムまたはブチルゴム)、ＥＰＭ・ＥＰＤＭ(エチレンプロピレンゴム)等の合成ゴムや天然ゴム等の弾性を有するゴムからなり、これら材料を帯状に形成したものである。
【００３７】
図６は、レール３０の内面に補強材３５を張った構成を示している。パネル３０の下端部は、補強材３５の内側に嵌め込まれ、屋内１側からレール３０、補強材３５および壁パネル２０に貫通させてねじ込んだねじ６４によりレール３０に締結される。ねじ６４による固定箇所はレール３０の長手方向に間隔をおいて複数箇所が設定される。なお、図６では、ねじ６４はレール３０を貫通して排水溝１５側に露出する長さのものを用いているが、ねじ６４の長さとしては、レール３０に対しては前板部３３のみを貫通し、壁パネル２０の芯材２２の途中までの長さを有するものであっても十分である。
【００３８】
補強材３５は剛性を有する金属からなるものが好適であり、例えば鋼板やステンレス、あるいはアルミニウム等が用いられる。鋼板やステンレスの場合には折り曲げ加工によってレール３０の内面に外面が接触する形状およびサイズに加工して得ることができる。また、アルミニウムの場合は押し出し加工で製造することができる。補強材３５は、接着剤による接着やレール３０と一体にモールドされることでレール３０の内面に固着される。レール３０は補強材３５により補強され、その結果、壁パネル２０が強固に、かつ一層安定して支持される。
【産業上の利用可能性】
【００３９】
本発明は、地下二重壁に利用可能である。
【符号の説明】
【００４０】
１…屋内、２…二重壁、１１…外壁、１２…床スラブ、１３…上階スラブ、１５…排水溝、２０…壁パネル、２１…面材、２２…芯材、３０…レール、３０１…パネル嵌合溝、３１…底板部、３１２…溝部、３２…背板部、３３…前板部、４１…第１の止水シール、４２…第２の止水シール、４３…第３の止水シール、４４…第４の止水シール、４５…シーリング（第５の止水シール）。
【図１】
2019035206.tif 000003
【図２】
2019035206.tif 000004
【図３】
2019035206.tif 000005
【図４】
2019035206.tif 000006
【図５】
2019035206.tif 000007
【図６】
2019035206.tif 000008